(57)【要約】陰嚢への装着時に、陰嚢との密着性を従来よりも向上できる陰嚢シートを提供する。陰嚢シート（１）は、水分と、当該水分が蒸発する際の気化熱を利用した冷感素材とを少なくとも含有する膏体・保水材層（２）と、前記保水材層（２）の一方の面（２Ａ）に形成された表面材層（３）と、使用時に立体形状にして陰嚢を包むための切り込みとを備えたことを特徴とする。
2017134977.tif 000002
【特許請求の範囲】
【請求項１】
水分と、当該水分が蒸発する際の気化熱を利用した冷感素材とを少なくとも含有する膏体・保水材層と、
前記膏体・保水材層の一方の面に形成された表面材層と、
使用時に立体形状にして陰嚢を包むための切り込みとを備えたことを特徴とする陰嚢シート。
【請求項２】
請求項１において、
前記切り込みの少なくとも１つが、陰茎を通すために一端部に形成された切り込みであることを特徴とする陰嚢シート。
【請求項３】
請求項１又は請求項２において、
前記切り込みの少なくとも１つが、
両側部に形成され、該両側部をそれぞれ折り曲げて立ち上げるための切り込みであることを特徴とする陰嚢シート。
【請求項４】
請求項１乃至請求項３のいずれか一項において、
前記膏体・保水材層の他方の面に形成され、複数の部位に区画された表面保護フィルムを更に備えたことを特徴とする陰嚢シート。
【発明の詳細な説明】
【技術分野】
【０００１】
この発明は、男性不妊の一原因である精子の運動率低下や劣化、乏精子症などの改善に関し、特に、陰嚢に装着して使用する陰嚢シートに関するものである。
【背景技術】
【０００２】
従来より、乏精子症などの改善に取り組んでいる患者は、FertilMate社製のパッチ（Cooling Patch（商品名））を陰嚢に装着する等の対処を行っている。このパッチは平面視長方形状に形成される（非特許文献１参照）。
【先行技術文献】
【非特許文献】
【０００３】
【非特許文献１】FertilMate社サイトの商品ページ（https://babystart.co.uk/fertilmate/）
【発明の概要】
【発明が解決しようとする課題】
【０００４】
しかしながら、上記非特許文献１に開示されたパッチは平面視四隅が角張っているので、陰嚢への装着時に、パッチと陰嚢との間に隙間が形成されたり、四隅に形成された折れ曲がり部が下着に接触したりする。従って、陰嚢から剥がれ易く陰嚢との密着性が悪いため、陰嚢への装着には適さない。【０００５】
この発明の目的は、陰嚢への装着時に、陰嚢との密着性を従来よりも向上できる陰嚢シートを提供することにある。
【課題を解決するための手段】
【０００６】
上記目的を達成するため、本発明に係る陰嚢シートは、水分と、当該水分が蒸発する際の気化熱を利用した冷感素材とを少なくとも含有する膏体・保水材層と、前記膏体・保水材層の一方の面に形成された表面材層と、使用時に立体形状にして陰嚢を包むための切り込みとを備えたことを特徴とする。
【発明の効果】
【０００７】
本発明に係る陰嚢シートでは、水分が蒸発する際の気化熱を利用した冷感素材を膏体・保水材層が含有し、使用時に立体形状にして陰嚢を包むための切り込みが形成されるので、陰嚢シートの陰嚢への装着時に、陰嚢から剥がれ難く陰嚢との密着性を従来よりも向上させつつ陰嚢を冷却できる。
【図面の簡単な説明】
【０００８】
【図１】陰嚢シート１の全体形状の一例を示す平面視図である。
【図２】陰嚢シート１を後方に折り曲げようとした時の状態を示す斜視図である。
【図３】図１におけるＡ−Ａ線矢視断面の一部を拡大した図である。
【図４】本実施形態に係る陰嚢シート１を用いた装着手順の一例を説明するための図である。
【図５】本実施形態に係る陰嚢シート１を用いた装着手順の一例を説明するための図である。
【図６】本実施形態に係る陰嚢シート１を用いた装着手順の一例を説明するための図である。
【図７】平面視長方形状に形成された既存製品の斜視図である。
【図８】既存製品を被験者の陰嚢に装着した状態を示す斜視図である。
【図９】陰嚢冷却シートを貼り付けた際の陰嚢表面温度の変化を示す写真である。
【図１０】陰嚢温度と大腿温度との関係を示したグラフである。
【図１１】陰嚢温度と大腿温度との温度差を示したグラフである。
【発明を実施するための形態】
【０００９】
以下、本発明の実施の形態を示す図面を参照して本発明を説明する。
【００１０】
[陰嚢シートの全体形状について]
図１は、陰嚢シート１の全体形状の一例を示す平面視図である。図２は、陰嚢シート１を後方に折り曲げようとした時の状態を示す斜視図である。
【００１１】
図１に示すように、陰嚢シート１は、全体として一方向に細長い縦長形状を有している。なお、以下の説明では、左右、前後、上下などの記載は、陰嚢シート１にとっての各方向を意味する。
【００１２】
陰嚢シート１は、使用時に立体形状にして陰嚢を包むためのシートである。具体的には、図２に示すように、陰嚢への装着時に５つの折り目ＢＬ１〜ＢＬ５に沿って後方に折り曲げられて立体形状にされる。陰嚢シート１は、図中の一点鎖線で示す折り目ＢＬ１〜ＢＬ５によって、複数の領域に区分される。なお、折り目ＢＬ１は表面保護フィルム４を複数の部位４０、４１に区画するための切断線としても機能する。本実施形態における折り目ＢＬ１〜ＢＬ３は、陰嚢シート１をその上下方向に４分割する３本の直線であり、折り目ＢＬ４、ＢＬ５は、陰嚢シート１をその左右方向に３分割する２本の直線である。
【００１３】
陰嚢シート１の上端部１ＵＥから折り目ＢＬ１までの上下方向の離間距離は３５〜６０ｍｍであることが好ましく、折り目ＢＬ１から折り目ＢＬ２までの上下方向の離間距離は５０〜６５ｍｍであることが好ましく、折り目ＢＬ２から折り目ＢＬ３までの上下方向の離間距離は５〜２０ｍｍであることが好ましい。また、左端部１ＬＥから折り目ＢＬ４までの左右方向の離間距離は１０〜２０ｍｍであることが好ましく、折り目ＢＬ４から折り目ＢＬ５までの左右方向の離間距離は５０〜６５ｍｍであることが好ましく、折り目ＢＬ５から右端部１ＲＥまでの左右方向の離間距離は１０〜２０ｍｍであることが好ましい。
【００１４】
陰嚢シート１は、図１に示すように、平面視において上下方向に縦長となる形状を有している。ここでの「縦長」とは、陰嚢シート１において、左右方向に沿って延びる短辺（本実施形態では１００ｍｍ）よりも上下方向に延びる長辺（本実施形態では１４０ｍｍ）の方が長いことを意味する。
【００１５】
［各切り込みの構成について］
陰嚢シート１は、使用時に立体形状にして陰嚢を包むための複数の切り込みを備える。
【００１６】
［切り込み１０の構成について］
切り込みの少なくとも１つは、陰茎を通すために一端部に形成された切り込みである。本実施形態では、図１に示すように、上端部１ＵＥに符号１０で示す切り込みが形成されている。この切り込み１０は、陰嚢シート１の上端部１ＵＥにおいて左右方向の中央部に形成されている。
【００１７】
切り込み１０は、平面視において半円形状を有している。切り込み１０の大きさは、その半径が１５〜２５ｍｍであることが好ましく、開口長さは１５〜２５ｍｍであることが好ましい。
【００１８】
また、切り込み１０の左側部１０ＬＥから陰嚢シート１の左側部１ＬＥまでの左右方向の離間距離は２５〜３５ｍｍであることが好ましい。同様に、切り込み１０の右端１０ＲＥから陰嚢シート１の右側部１ＲＥまでの左右方向の離間距離は２５〜３５ｍｍであることが好ましい。
【００１９】
［切り込み１１Ｌ、１１Ｒ、１２Ｌ、１２Ｒの構成について］
切り込み１１Ｌ、１２Ｌは図１に示すように左側部１ＬＥに形成され、図２に示すように該左側部１ＬＥを折り曲げて立ち上げるための切り込みである。同様に、切り込み１１Ｒ、１２Ｒは右側部１ＲＥに形成され、該右側部１ＲＥを後方に折り曲げて立ち上げるための切り込みである。一対の切り込み１１Ｌ、１１Ｒは、折り目ＢＬ１に沿って形成され、平面視において左右方向に細長い長方形状を有している。一対の切り込み１２Ｌ、１２Ｒは、折り目ＢＬ２に沿って形成され、平面視においてＶ字形状を有している。
【００２０】
一対で構成されていて特別に区別して説明する必要がない切り込み１１Ｌ、１１Ｒ及び切り込み１２Ｌ、１２Ｒは、図面の簡略化を図るために、一方の切り込み１１Ｒ、１２Ｒについてのみ各部位の符号や寸法を付し、もう一方の切り込み１１Ｌ、１２Ｌについては、各部位の符号や寸法を適宜省略することがあることを予め断っておく。
【００２１】
本実施形態における切り込み１１Ｌ、１１Ｒの大きさは、その長辺が１０〜２５ｍｍ、短辺が１〜３ｍｍであることが好ましい。また、上端部１ＵＥと切り込み１１Ｌの上辺１１ＬＵＳとの間の上下方向の離間距離は４０〜５５ｍｍであることが好ましい。同様に、上端部１ＵＥと切り込み１１Ｒの上辺１１ＲＵＳとの間の離間距離は４５〜５５ｍｍであることが好ましい。
【００２２】
切り込み１２Ｌ、１２Ｒの大きさは、図１に示すように、Ｖ字形状を構成する二本の直線の交点Ｐ１から開口下端Ｐ２までの離間距離が１０ｍｍであることが好ましい。また、切り込み１２Ｌ、１２Ｒの開口長さは５ｍｍであることが好ましい。
【００２３】
なお、図１に示すように、領域Ｒ４には、陰嚢シート１の下端１ＤＥが形成されている。下端１ＤＥは、平面視において、丸みを帯びた形状を有している。開口下端Ｒ２から下端１ＤＥの最下端１ＭＤＥまでの上下方向の離間距離は１５〜４０ｍｍであることが好ましい。
【００２４】
[陰嚢シート１の層構造について]
続いて、陰嚢シート１の層構造について説明する。
【００２５】
図３は、図１におけるＡ−Ａ線矢視断面の一部を拡大した図である。図３に示すように、陰嚢シート１は、膏体・保水材層２と、表面材層３と、表面保護フィルム４とを備える。本実施形態における陰嚢シート１は、膏体・保水材層２と、表面保護フィルム４と、膏体・保水材層２と表面保護フィルム４の間に介在配置された表面材層３を具備する３層構造を有している。
【００２６】
［膏体・保水材層２の構成について］
膏体・保水材層２は、水分と、当該水分が蒸発する際の気化熱を利用した冷感素材とを少なくとも含有している。
【００２７】
膏体・保水材層２は、陰嚢シート１を清潔に保つという観点から、優れた抗菌効果を持つＩ−メントールを冷感素材として含有することが好ましい。
【００２８】
また、Ｉ−メントールの含有量は、皮膚炎を防止する陰嚢シート１を実現する観点から、水分の全重量に対して０．１重量％〜１．０重量％であることが好ましい。
【００２９】
また、膏体・保水材層２の重量は、優れた抗菌効果を持つ陰嚢シート１を実現する観点から、１ｃｍ２あたり０．２ｇ〜０．４ｇであることが好ましい。
【００３０】
更に、膏体・保水材層２は、患者にリラックス感や眠気覚まし効果等の精神的効果を与えるという観点から、ペパーミント、バジル、ティートリー、ユーカリ、レモン、及び、ブルーガムの何れか一種から選択されるアロマ成分を含有することが好ましい。
【００３１】
加えて、膏体・保水材層２は、カビ等が繁殖するリスクを軽減するという観点から、パラベンからなる防腐剤を含有することが好ましい。
【００３２】
［表面材層３の構成について］
表面材層３は、繊維を不規則にからめた不織布からなり、前記膏体・保水材層２の一方の面２Ａに形成される。
【００３３】
［表面保護フィルム４の構成について］
表面保護フィルム４は、ポリエチレン、ポリプロピレン、ポリイミドなどの生体適合性樹脂からなる。表面保護フィルム４は、前記膏体・保水材層２の他方の面２Ｂに形成される。この面２Ｂは、陰嚢への貼付面２Ｂとして機能する。表面保護フィルム４は、図３の一点鎖線で囲まれた部分を拡大した図に示すように、切断線ＢＬ１によって複数の部位４０、４１に区画されている。この切断線ＢＬ１によって、表面保護フィルム４は前記膏体・保水材層２の他方の面２Ｂから剥離可能に構成されている。
【００３４】
[陰嚢シート１の装着手順]
図４〜図６は、本実施形態に係る陰嚢シートを用いた装着手順の一例を説明するための図である。
【００３５】
図４は、膏体・保水材層２に貼付された表面保護フィルム４を半分剥がそうとした時の状態を示す斜視図である。図４では、図をわかりやすくするために面２Ｂを網掛けで示している。
【００３６】
図５は、股間に装着された陰嚢シートの正面視図である。図６は、股間に装着された陰嚢シートの側面視図である。図５及び図６では、図をわかりやすくするために、陰嚢シート１を網掛けで示している。
【００３７】
装着にあたっては、まず、図４に示すように、部位４０を上方向（図中の矢印Ａ１で示す方向）に剥がし取る。ここでは部位４０だけを面２Ｂから剥がして面２Ｂの上半分（図５に示すＢＬ１よりも上部分）だけを先に外部に露出させる。なお、面２Ｂの上半分には切り込み１０が形成されている。
【００３８】
続いて、図５に示すように、切り込み１０で陰茎の根元部分を取り囲むようにして、面２Ｂの上半分（不図示）を陰茎の根元部分に対向配置する。
【００３９】
この状態で、陰嚢シート１を左右方向に引っ張りながら、面２Ｂの上半分を、対向する陰茎の根元部分の皮膚上に貼り付ける。図１に示したように、切り込み１０が平面視において半円形状を有するので、陰嚢シート１の股間への装着時に、陰茎を外部に露出させることができ、なおかつ、左右方向の中央部に配置させることができる。
【００４０】
続いて、図４に示すように、今度は残りの部位４１を下方向（図中の矢印Ａ２で示す方向）に剥がし取る。ここでは、残りの部位４１が剥がされて面２Ｂの下半分（図５に示すＢＬ１よりも下部分）も外部に露出し、面２Ｂの全面が外部に露出する。
【００４１】
続いて、陰茎の根元部分よりも下部にある陰嚢部位に面２Ｂの下半分を対向配置する。
【００４２】
続いて、陰嚢シート１を左右方向及び下方向に引っ張って図５に示すように切り込み１１Ｌ、１１Ｒ、１２Ｌ、１２ＲをＶ字状に広げながら、面２Ｂの下半分（不図示）の貼付位置を適宜調整する。
【００４３】
位置調整後、陰嚢シート１を折り目ＢＬ１〜ＢＬ５に沿わせて山折り状態にして、面２Ｂの下半分を、対向する陰嚢部位の皮膚上に貼り付ける。これにより、図６に示すように、陰嚢シート１が陰嚢部位に装着される。
【００４４】
上述したように、切り込み１１Ｌ、１１Ｒは平面視において長方形状を有するので（図１参照）、陰嚢シート１の股間への装着時に、陰嚢に貼付し易く、かつ剥がれ難いという効果を実現でき、なおかつ、陰嚢において持続性の高い冷感を得たい場合など所望の部位の皮膚上に貼り付けて用いることができる。ここで、図７は、平面視長方形状に形成された既存製品の斜視図を示している。また、図８は、既存製品を被験者の陰嚢に装着した状態を示す斜視図である。図７に示すように既存製品は平面視四隅が角張っている。そのため、図８に示すように、陰嚢への装着時に、既存製品と陰嚢との間に隙間が形成されたり、四隅に形成された折れ曲がり部が図示しない下着に接触したりする。従って、既存製品は陰嚢から剥がれ易く陰嚢との密着性が悪いため、陰嚢への装着には適さない。
【００４５】
上述したように、切り込み１２Ｌ、１２Ｒは、平面視においてＶ字形状を有するので（図１参照）、陰嚢シート１の下方向及び後方向への伸縮が促進されるので、陰嚢に貼付し易く、かつ剥がれ難いという効果を実現できるとともに、目的とする貼付部位に対する柔軟かつスムーズな位置合わせを実現できる。
【００４６】
上述したように、領域Ｒ４の下端１ＤＥは、平面視において丸みを帯びているので（図１参照）、臀部との衝突時における衝撃を吸収する緩衝材として機能し、仮に臀部に下端１ＤＥがぶつかったとしても臀部に傷が付いたり怪我したりすることを防止できたり、あるいは、下端１ＤＥが接触しても臀部が痛くないようになるといった効果を得ることができる。
【００４７】
以上、本発明の実施形態について図面に基づいて説明したが、具体的な構成は、これらの実施形態に限定されるものではないことは言うまでもない。本発明の範囲は、上記した実施形態の説明ではなく請求の範囲によって示され、さらに請求の範囲を逸脱しない限りで類似の範囲内でのすべての変更が含まれる。
【００４８】
なお、上記実施形態では、切り込み１０が平面視において半円形状を有する例について述べたが、陰嚢を包み易い形状でありさえすれば必ずしもこの形状に限定されず、例えば、半楕円形状又は矩形状など種々の形状に形成できる。また、切り込み１０の個数についても１個に限定されず、２個以上であってもよい。
【００４９】
同様に、切り込み１１Ｌ、１１Ｒが平面視において左右方向に細長い長方形状を有する例について述べたが、陰嚢を包み易い形状でありさえすれば必ずしもこの形状に限定されず種々の形状に形成できる。また、切り込み１１Ｌ、１１Ｒの個数についても２個に限定されず、１個又は３個以上であってもよい。
【００５０】
同様に、切り込み１２Ｌ、１２Ｒが平面視においてＶ字形状を有する例について述べたが、陰嚢を包み易い形状でありさえすれば必ずしもこの形状に限定されず種々の形状に形成できる。また、切り込み１２Ｌ、１２Ｒの個数についても２個に限定されず、１個又は３個以上であってもよい。
【実施例】
【００５１】
次に、本発明に関して、実施例を用いて詳細に説明する。なお、本発明は、以下の実施例に限定されるものではない。【００５２】
ここでは、陰嚢冷却シートの貼付によって陰嚢温度の冷却が得られるかどうかについて、サーモグラフィーを用いて実験した結果を説明する。【００５３】
実験対象と実験方法を以下に述べる。更に、陰嚢冷却シートを貼り付けた際の陰嚢表面温度の変化を示す写真を図９に示す。【００５４】
（実験対象）
ここでは、１９歳から２２歳までの健康な若年男性２６名を被験者とした。【００５５】
（実験方法）
ここでは、陰嚢温度と大腿温度との比較により、陰嚢冷却シートの冷却効果を検討した。【００５６】
まず、陰嚢冷却シート貼付前にサーモグラフィー（日本アビオニクス株式会社製のInfReCR300SR（商品名））を用いて陰嚢表面温度を測定した。続いて、陰嚢冷却シートの貼付後１時間、貼付後２時間、貼付後４時間で、その都度、陰嚢冷却シートを剥がし、陰嚢温度を測定した。図９は、陰嚢冷却シートを貼り付けた際の陰嚢表面温度の変化を示す写真である。図９に示すように、本実験では、陰嚢の４点で温度を計測し、その計測温度と大腿温度との比較により陰嚢の冷却効果を検討した。具体的には、図９に示すように、精巣右上の点ａ、精巣右下の点ｂ、精巣左上の点ｃ、精巣左下の点ｄ、大腿で温度を計測した。【００５７】
（陰嚢温度と大腿温度との関係について）
図１０は、陰嚢温度と大腿温度との関係を示したグラフである。図１０の横軸は陰嚢冷却シートの貼付後の経過時間［ｈ］を示し、縦軸は温度［℃］を示す。図１０中の「●」は、被験者の精巣右上の点ａ（図９参照）における平均温度を示し、「■」は、被験者の精巣右下の点ｂ（図９参照）における平均温度を示す。また、図１０中の「▲」は、被験者の精巣左上の点ｃ（図９参照）における平均温度を示し、「▼」は、被験者の精巣左下の点ｄ（図９参照）における平均温度を示す。図１０中の「◆」は、被験者の大腿（図９参照）における平均温度を示す。【００５８】
図１０中の「＊」は、陰嚢冷却シートの貼付開始時の０［ｈ］及び貼付後の４［ｈ］における陰嚢温度と、貼付後の１［ｈ］及び２［ｈ］における陰嚢温度との間における有意差が、有意水準ｐ＜０．０５で認められたことを示す。ここで、「有意水準ｐ」とは、「差が統計的に意味があるといってもよい水準」のことを意味し、ｐの値が小さいほど、偶然とは考えにくいことを意味する。【００５９】
図１０を考察すると、各点ａ〜ｄにおける陰嚢温度は、陰嚢冷却シートの貼付開始時の０［ｈ］と貼付後４［ｈ］において、３３［℃］から３４［℃］の温度範囲内に分布することが分かった。【００６０】
また、図１０を考察すると、各点ａ〜ｄにおける陰嚢温度は、陰嚢冷却シートの貼付後の１［ｈ］と貼付後２［ｈ］において、３２［℃］から３３［℃］の温度範囲内に分布することが分かった。【００６１】
これらの考察結果から、各点ａ〜ｄにおける陰嚢温度は、貼付後の１［ｈ］及び２［ｈ］の方が貼付開始時の０［ｈ］及び貼付後の４［ｈ］と比べて有意に低く、高い冷却効果を有することが分かった。【００６２】
一方、大腿温度は、陰嚢冷却シートの貼付開始時の０［ｈ］、貼付後の１［ｈ］、２［ｈ］、４［ｈ］において、３６［℃］付近に分布することが分かった。【００６３】
（陰嚢温度と大腿温度との温度差の比較について）
図１１は、陰嚢温度と大腿温度との温度差を示したグラフである。図１１の横軸は陰嚢冷却シートの貼付後の経過時間［ｈ］を示し、縦軸は陰嚢温度と大腿温度との温度差を示す。図１１中の「●」は、被験者の精巣右上の点ａ（図９参照）における平均温度と、被験者の大腿（図９参照）における平均温度との温度差［℃］を示す。図１１中の「■」は、被験者の精巣右下の点ｂ（図９参照）における平均温度と、被験者の大腿（図９参照）における平均温度との温度差［℃］を示す。図１１中の「▲」は、被験者の精巣左上の点ｃ（図９参照）における平均温度と、被験者の大腿（図９参照）における平均温度との温度差［℃］を示す。図１１中の「▼」は、被験者の精巣左下の点ｄ（図９参照）における平均温度と、被験者の大腿（図９参照）における平均温度との温度差［℃］を示す。【００６４】
図１１を考察すると、各点ａ〜ｄにおける大腿温度との温度差は、陰嚢冷却シートの貼付開始時の０［ｈ］と貼付後４［ｈ］において、−３［℃］から−２［℃］の範囲内に分布することが分かった。【００６５】
また、図１１を考察すると、各点ａ〜ｄにおける大腿温度との温度差は、陰嚢冷却シートの貼付後の１［ｈ］と貼付後２［ｈ］において、約−３．５［℃］から−３［℃］の範囲内に分布することが分かった。【００６６】
これらの考察結果から、各点ａ〜ｄにおける大腿温度との温度差は、貼付後の１［ｈ］及び２［ｈ］の方が貼付開始時の０［ｈ］及び貼付後の４［ｈ］と比べて有意に大きく、高い冷却効果を有することが分かった。【００６７】
（貼付後の着け心地や、かゆみの有無について）
本発明者らは、本実験において、陰嚢冷却シートの貼付後の着け心地や、かゆみの有無についても検討した。【００６８】
（着け心地について）
以下の表１は、被験者２６名が陰嚢冷却シートの貼付を行い、「とてもよい」、「よい」、「ふつう」、「悪い」、「とても悪い」の採点基準で着け心地を評価した結果を示す。
【表１】
2017134977.tif 000003
【００６９】
表１に示すように、被験者２６名のうち、２名の被験者から着け心地の評価として「とてもよい」の結果が得られた。９名の被験者から着け心地の評価として「よい」の結果が得られた。１４名の被験者から着け心地の評価として「ふつう」の結果が得られた。【００７０】
一方、表１に示すように、被験者２６名のうち、１名の被験者から着け心地の評価として「悪い」の結果が得られた。なお、被験者２６名のうち、「とても悪い」と評価した被験者の数は０であった。【００７１】
これらの考察結果から、陰嚢冷却シートの着け心地として「とてもよい」、「よい」、「ふつう」と評価した被験者人数は２５名であり、「悪い」と評価した被験者人数の１名を大きく上回る結果が得られた。【００７２】
（かゆみの有無について）
以下の表２は、被験者２６名が陰嚢冷却シートの貼付を行い、「やや感じる」、「無」、の採点基準で、陰嚢冷却シートの貼付時における、かゆみの有無を評価した結果を示す。
【表２】
2017134977.tif 000004
【００７３】
表２に示すように、被験者２６名のうち、１名の被験者からかゆみの有無の評価として「やや感じる」の結果が得られた。一方、２５名の被験者からかゆみの有無の評価として「無」の結果が得られた。【００７４】
これらの考察結果から、陰嚢冷却シートの貼付時における、かゆみの有無について「やや感じる」と評価した被験者人数はたったの１名であり、残り２５名が「無」と評価しており、大半の被験者がかゆみを感じていないという結果が得られた。
【関連出願への相互参照】
【００７５】
本出願は、２０１６年２月５日に日本国特許庁に出願された特願２０１６−０２１２５０号に基づいて優先権を主張し、その全ての開示は完全に本明細書で参照により組み込まれる。
【符号の説明】
【００７６】
１  陰嚢シート
２  膏体・保水材層
２Ａ、２Ｂ  面
３  表面材層
４  表面保護フィルム
１０、１１Ｌ、１１Ｒ、１２Ｌ、１２Ｒ  切り込み
【図１】
2017134977.tif 000005
【図２】
2017134977.tif 000006
【図３】
2017134977.tif 000007
【図４】
2017134977.tif 000008
【図５】
2017134977.tif 000009
【図６】
2017134977.tif 000010
【図７】
2017134977.tif 000011
【図８】
2017134977.tif 000012
【図９】
2017134977.tif 000013
【図１０】
2017134977.tif 000014
【図１１】
2017134977.tif 000015
【国際調査報告】
2017134977.tif 000016
2017134977.tif 000017
2017134977.tif 000018
2017134977.tif 000019